【手続補正書】
【提出日】平成17年3月10日(2005.3.10)
【手続補正１】
【補正対象書類名】特許請求の範囲
【補正対象項目名】全文
【補正方法】変更
【補正の内容】
【特許請求の範囲】
【請求項１】
複数の撮影モードが設定可能なカメラ装置であって、
前記撮影モード毎に応じて撮影時における装置の撮影条件を制御する制御手段と、
前記撮影モードに対応する複数の撮影モードの説明と撮影モードのアドバイス情報とを記憶する付加情報データ記憶手段と、
この付加情報データ記憶手段に記憶された撮影モードの説明と撮影モードのアドバイス情報を表示する表示手段と、
この表示手段に表示されたいずれかの前記撮影モードの説明と撮影モードのアドバイス情報を選択する選択手段と、
この選択手段により選択された撮影モードの説明と撮影モードのアドバイス情報に対応する撮影モードを設定する設定手段と
を備えたことを特徴とするカメラ装置。
【請求項２】
使用者の要求に応じ、前記表示手段における前記複数の撮影モードの説明と撮影モードのアドバイス情報の表示順を前記選択手段により過去に選択された履歴順に制御する表示制御手段と
を備えたことを特徴とする請求項１記載のカメラ装置。
【請求項３】
前記撮影モードに対応する撮影条件の制御内容を説明する複数の制御説明情報を記憶する制御説明情報記憶手段と、
前記撮影モードの説明と撮影モードのアドバイス情報に対応する制御説明情報を前記制御説明情報記憶手段から読み出し前記撮影モードの説明と撮影モードのアドバイス情報と共に前記表示手段に表示させる制御手段と
を備えたことを特徴とする請求項１又は２記載のカメラ装置。
【請求項４】
前記撮影モードに対応する見本画像を記憶する見本画像記憶手段と、
前記撮影モードの説明と撮影モードのアドバイス情報対応する見本画像を前記見本画像記憶手段から読み出し前記表示手段に表示させる制御手段と
を備えたことを特徴とする請求項１，２又は３記載のカメラ装置。
【請求項５】
さらに、被写体を撮像する撮像手段と、
この撮像手段により撮影待機状態で撮像されたスルー画像を表示する表示手段と、
前記設定手段により設定された撮影モードが所定の撮影モードであるとき、前記スルー画像内に、撮影モードに対応する被写体の撮影に適する画面構成を示すフレーム画像を表示させる制御手段と
を備えたことを特徴とする請求項１乃至４のいずれかに記載のカメラ装置。
【請求項６】
オートフォーカス機能を備え、前記制御手段は、前記フレーム画像により示されるスルー画像の所定領域内にフォーカス位置を設定するとともに、設定したフォーカス位置を示すフォーカスマークを前記スルー画像に表示させることを特徴とする請求項５記載のカメラ装置。
【請求項７】
被写体内に設定された測光位置をスポット測光し、その測光結果に基づき露出制御を行う自動露出制御機能を備え、
前記制御手段は、前記フレーム画像により示されるスルー画像の所定領域内に前記測光位置を設定することを特徴とする請求項５又は６記載のカメラ装置。
【手続補正２】
【補正対象書類名】明細書
【補正対象項目名】０００５
【補正方法】変更
【補正の内容】
【０００５】
前記課題を解決するために請求項１の発明にあっては、複数の撮影モードが設定可能なカメラ装置であって、前記撮影モード毎に応じて撮影時における装置の撮影条件を制御する制御手段と、前記撮影モードに対応する複数の撮影モードの説明と撮影モードのアドバイス情報とを記憶する付加情報データ記憶手段と、この付加情報データ記憶手段に記憶された撮影モードの説明と撮影モードのアドバイス情報を表示する表示手段と、この表示手段に表示されたいずれかの前記撮影モードの説明と撮影モードのアドバイス情報を選択する選択手段と、この選択手段により選択された撮影モードの説明と撮影モードのアドバイス情報に対応する撮影モードを設定する設定手段とを備えたものとした。
【手続補正３】
【補正対象書類名】明細書
【補正対象項目名】０００６
【補正方法】変更
【補正の内容】
【０００６】
かかる構成においては、表示手段に表示されたいずれかの前記撮影モードの説明と撮影モードのアドバイス情報が選択されると、前記撮影モードの説明と撮影モードのアドバイス情報によって特定された撮影モードが自動的に設定される。したがって、使用者は、前記撮影モードの説明と撮影モードのアドバイス情報を介して、被写体の種別に応じた撮影モードの選択ができる。
【手続補正４】
【補正対象書類名】明細書
【補正対象項目名】０００７
【補正方法】変更
【補正の内容】
【０００７】
また、請求項２の発明にあっては、使用者の要求に応じ、前記表示手段における前記複数の撮影モードの説明と撮影モードのアドバイス情報の表示順を前記選択手段により過去に選択された履歴順に制御する表示制御手段とを備えたものとした。かかる構成において、使用者は必要に応じて複数の撮影モードの説明と撮影モードのアドバイス情報の表示順を履歴順に変更できる。
【手続補正５】
【補正対象書類名】明細書
【補正対象項目名】０００８
【補正方法】変更
【補正の内容】
【０００８】
また、請求項３の発明にあっては、前記撮影モードに対応する撮影条件の制御内容を説明する複数の制御説明情報を記憶する制御説明情報記憶手段と、前記撮影モードの説明と撮影モードのアドバイス情報に対応する制御説明情報を前記制御説明情報記憶手段から読み出し前記撮影モードの説明と撮影モードのアドバイス情報と共に前記表示手段に表示させる制御手段とを備えたものとした。かかる構成においては、撮影モードの説明と撮影モードのアドバイス情報の選択に際しては、制御説明情報が表示されるため、被写体に応じた撮影結果を容易に知ることができる。
【手続補正６】
【補正対象書類名】明細書
【補正対象項目名】０００９
【補正方法】変更
【補正の内容】
【０００９】
また、請求項４の発明にあっては、前記撮影モードに対応する見本画像を記憶する見本画像記憶手段と、前記撮影モードの説明と撮影モードのアドバイス情報対応する見本画像を前記見本画像記憶手段から読み出し前記表示手段に表示させる制御手段とを備えたものとした。かかる構成において、使用者は被写体の種別を直感的に理解することができる見本画像を介して、撮影モードの選択ができる。
【手続補正７】
【補正対象書類名】明細書
【補正対象項目名】００１０
【補正方法】変更
【補正の内容】
【００１０】
また、請求項５の発明にあっては、被写体を撮像する撮像手段と、この撮像手段により撮影待機状態で撮像されたスルー画像を表示する表示手段と、前記選択手段により選択された撮影モード見本画像が所定の撮影モード見本画像であるとき、前記スルー画像内に、被写体の撮影に適する画面構成を示すフレーム画像を表示させる制御手段とを備えたものとした。かかる構成において、使用者は、フレーム画像に従ったフレーミングを行うことにより、選択した撮影モードで制御される撮影条件の下で理想的な撮影結果を得ることができる。
【手続補正８】
【補正対象書類名】明細書
【補正対象項目名】００１３
【補正方法】変更
【補正の内容】
【００１３】
以上説明したように本発明においては、使用者は、撮影モードの説明と撮影モードのアドバイス情報を介して、被写体の種別に応じた撮影モードの選択ができるようにした。よって、撮影モードの種類が多数存在する場合であっても、撮影モードの設定に混乱を生じることなく、誰もが被写体により適切な撮影条件を容易に設定することが可能となる。同時に、撮影者の好みに応じ撮影結果を簡単に得ることができる。
【手続補正９】
【補正対象書類名】明細書
【補正対象項目名】００１４
【補正方法】変更
【補正の内容】
【００１４】
また、請求項２の発明によれば、複数の撮影モードの説明と撮影モードのアドバイス情報の表示順を使用者が必要に応じて履歴順に変更できるようにしたことから、撮影モードの説明と撮影モードのアドバイス情報の表示順を履歴順に変更することにより、使用者は頻繁に使用する被写体の種別に対応する撮影モードを直ちに選択することができ、使い勝手を向上させることができる。
【手続補正１０】
【補正対象書類名】明細書
【補正対象項目名】００１５
【補正方法】変更
【補正の内容】
【００１５】
また、請求項３の発明によれば、撮影モードの説明と撮影モードのアドバイス情報の選択に際して、制御説明情報が表示されるため、その設定に混乱を生じることなくことなく、より多くの撮影モードを設けることができる。
【手続補正１１】
【補正対象書類名】明細書
【補正対象項目名】００１６
【補正方法】変更
【補正の内容】
【００１６】
また、請求項４の発明によれば、使用者は表示手段に表示される被写体の種別を直感的に理解することができる見本画像を介して、撮影モードの選択ができる。
【手続補正１２】
【補正対象書類名】明細書
【補正対象項目名】００１７
【補正方法】変更
【補正の内容】
【００１７】
また、請求項５の発明によれば、使用者はフレーム画像に従ったフレーミングを行うことにより、選択した撮影モードで制御される撮影条件の下で理想的なフォーカス状態や露出状態での撮影結果を得ることができる。